(57)【要約】【課題】主走査方向に移動しながら双方向スキャンするオンキャリッジスキャナにおいて、順方向と逆方向で読み取った画像の色ずれを抑制し、かつ、スキャンが高速である画像読取記録装置を提供することを目的とする。【解決手段】主走査方向に移動しながら双方向スキャンが可能な印字ヘッド一体型オンキャリッジスキャナにおいて、双方向でスキャンする際に、順方向と逆方向とで、光源の点灯順序を切り換える切換手段を有する画像読取記録装置である。【選択図】図１
2008124883.tif 000002
【特許請求の範囲】
【請求項１】
原稿紙送り方向である副走査方向に画素が配列されている読取センサであって、シリアル型スキャナに設けられている読取センサと；
原稿紙送り方向と直交する主走査方向に上記読取センサを走査するキャリッジであって、上記読取センサと上記読取センサとが一体であり、上記読取センサと上下相対する位置に印字ヘッドを具備するキャリッジと；
上記キャリッジを往復移動させながら原稿を読み取る双方向スキャン時に、上記読取センサの光源の点灯順序を、順方向と逆方向とで切り換える切換手段と；
を有することを特徴とする画像読取記録装置。
【請求項２】
請求項１において、
バッファメモリと；
上記双方向スキャン時に、上記読取センサから順次送り出される画像データを上記バッファメモリに格納する際に、順方向と逆方向とで同じ色画素データ順で、上記画像データを格納する手段と；
を有することを特徴とする画像読取記録装置。
【請求項３】
請求項１において、
バッファメモリと；
上記双方向スキャン時に、上記読取センサから順次送り出される画像データを、上記バッファメモリに格納する格納手段と；
上記バッファメモリから読み出す際に、順方向と逆方向とで同じ色画素データ順で読み出す読出手段と；
を有することを特徴とする画像読取記録装置。
【請求項４】
原稿紙送り方向である副走査方向に画素が配列されている読取センサと、印字ヘッドとがキャリッジに設けられ、上記読取センサと上下相対する位置に印字ヘッドが設けられている画像読取記録装置の制御方法において、
上記読取センサを、原稿紙送り方向と直交する主走査方向に走査する工程と；
上記キャリッジを往復移動させながら原稿を読み取る双方向スキャン時に、上記読取センサの光源の点灯順序を、順方向と逆方向とで切り換える切換工程と；
を有することを特徴とする画像読取記録装置の制御方法。
【発明の詳細な説明】
【技術分野】
【０００１】
本発明は、印字ヘッド一体型のオンキャリッジスキャナに関する。
【背景技術】
【０００２】
従来、この種の画像読取記録装置は、キャリッジに着装されている印字ヘッドを取り外し、読取センサと交換し、オンキャリッジスキャナとして使用可能な画像読取記録装置が知られている。また、双方向読取を可能とする画像読取記録装置が知られている（たとえば、特許文献１参照）。
【０００３】
さらに、読取センサと印字ヘッドとが一体であるオンキャリッジ一体型の画像読取記録装置が知られている（たとえば、特許文献２参照）。
【特許文献１】特開２００１−１７１１９２号公報
【特許文献２】特開２００２−１７１３８９号公報
【発明の開示】
【発明が解決しようとする課題】
【０００４】
上記従来のオンキャリッジスキャナで、主走査方向に移動しながら双方向スキャンを行うと、順方向に移動しながら読み取った画像と、逆方向に移動しながら読み取った画像とでは、主走査方向における同じ位置の画素のＲＧＢの色データの順序が逆になる。したがって、上記従来例では、色ずれが起き、読み取り画質が落ちるという問題がある。
【０００５】
この色ずれを避けて読み取り画質を上げるために、順方向のみで読み取る片方向読みを実行することが従来、知られている。また、ＲＧＢの３色を読み取る際、キャリッジを一旦停止しながら読み取り、次の画素へ移動するという手法も考案されている。
【０００６】
しかし、上記従来例のいずれも、読み取り速度が遅いという問題がある。
【０００７】
本発明は、主走査方向に移動しながら双方向スキャンするオンキャリッジスキャナにおいて、順方向と逆方向で読み取った画像の色ずれを抑制し、かつスキャンが高速である画像読取記録装置を提供することを目的とする。
【課題を解決するための手段】
【０００８】
本発明は、主走査方向に移動しながら双方向スキャンが可能な印字ヘッド一体型オンキャリッジスキャナにおいて、双方向でスキャンする際に、順方向と逆方向とで、光源の点灯順序を切り換える手段を有する画像読取記録装置である。
【発明の効果】
【０００９】
本発明によれば、主走査方向に移動しながら双方向スキャンするオンキャリッジスキャナにおいて、光源の点灯順序を切り換える手段を設けているので、順方向と逆方向とで読み取った画像の色ずれを抑制し、かつスキャンが高速であるという効果を奏する。
【発明を実施するための最良の形態】
【００１０】
発明を実施するための最良の形態は、次の実施例である。
【実施例１】
【００１１】
図１は、本発明の実施例１である画像読取記録装置ＰＲ１における印字ヘッド一体型オンキャリッジスキャナＳＣ１の構成を示す平面図、正面図、右側面図である。
【００１２】
印字ヘッド一体型オンキャリッジスキャナＳＣ１は、読取センサ１と、カラー用印字ヘッド３と、モノクロ用印字ヘッド４と、カラーインクタンク５と、ブラックインクタンク６と、キャリッジユニット７とを有する。
【００１３】
読取センサ１は、カラー読み取りが可能なコンタクト・イメージ・センサで構成され、有効読み取り幅２は、印字ヘッドの印字幅と同じ幅であり、原稿紙送り方向である副走査方向に画素が配置されている。
【００１４】
読取センサ１を構成するＬＥＤ光源は、カラー読み取りを行うＲ、Ｇ、Ｂの３色のＬＥＤ光源である。
【００１５】
カラー用印字ヘッド３とモノクロ用印字ヘッド４とは、上記読取センサ１と上下相対する位置に配置され、読取センサ１の原稿読み取り面と逆の方向に、記録紙へ印字する。
【００１６】
カラーインクタンク５は、カラー用印字ヘッド３の上に着装され、カラーインクタンク５の中には、イエロー（Ｙ）、シアン（Ｃ）、マゼンダ（Ｍ）の３色インクが充填されている。また、モノクロ用印字ヘッド４の上には、ブラックインクタンク６が着装され、ブラックインクタンク６の中には、顔料系ブラックインクと染料系ブラックインクとが充填されている。
【００１７】
読取センサ１、カラー用印字ヘッド３、モノクロ用印字ヘッド４、カラーインクタンク５、ブラックインクタンク６の全てが、キャリッジユニット７に着装され、印字ヘッド一体型オンキャリッジスキャナＳＣ１を構成している。原稿と記録紙との送り方向と直交する主走査方向に、原稿、記録紙を移動しながら、原稿を読み取り、記録する。
【００１８】
図２は、印字ヘッド一体型オンキャリッジスキャナＳＣ１の読取走査と、印字記録との動作概要を示す図である。
【００１９】
オンキャリッジスキャナＳＣ１は、キャリッジモータ１０と、記録紙給紙ローラＲ１１、Ｒ１２と、記録紙排紙ローラＲ２１、Ｒ２２と、原稿排紙ローラＲ３１、Ｒ３２と、原稿給紙ローラＲ４１、Ｒ４２と、キャリッジ駆動ベルト１５とを有する。また、オンキャリッジスキャナＳＣ１は、キャリッジユニット７を往復移動させながら原稿を読み取る双方向スキャン時に、読取センサ１の光源の点灯順序を、順方向と逆方向とで切り換える切換手段（図示せず）を有する。なお、上記切換手段は、図示しないＣＰＵ等によって実現されている。
【００２０】
キャリッジユニット７に着装されている読取センサ１は、キャリッジ駆動ベルト１５を介して、キャリッジモータ１０で駆動され、原稿８と記録紙９との送り方向と直行する方向に走査される。
【００２１】
原稿８は、原稿給紙ローラＲ４１、Ｒ４２によって、給紙搬送され、原稿排紙ローラＲ３１、Ｒ３２によって、排紙される。記録紙９は、記録紙給紙ローラＲ１１、Ｒ１２によって、給紙搬送され、記録紙排紙ローラＲ２１、Ｒ２２によって、排紙される。
【００２２】
図３は、従来の印字ヘッド一体型オンキャリッジスキャナによって、双方向スキャンを行った場合における画像データの配列を示す図である。
【００２３】
従来例では、双方向スキャンする場合、順方向スキャンと逆方向スキャンとにおいて、光源の点灯順は、Ｒ→Ｇ→Ｂの順で同じであるので、一画素分のキャリッジの移動量における色データの読み取り位置が、順方向スキャン時と逆方向スキャン時とで異なる。これによって、読取センサの読み取り幅２毎に、副走査方向に色ずれが生じるという問題がある。
【００２４】
図４は、実施例１である印字ヘッド一体型オンキャリッジスキャナＳＣ１が、双方向スキャンした場合における画像データの配列を示す図である。
【００２５】
キャリッジユニット７を往復移動させながら原稿を読み取る双方向スキャン時に、上記切換手段が、読取センサ１の光源の点灯順序を、順方向と逆方向とで切り換える。したがって、キャリッジユニット７が主走査順方向に移動しながら、読取センサ１が原稿を読み取る場合、読取センサ１に設けられている光源がＲ→Ｇ→Ｂの順で点灯し、主走査逆方向に移動しながら読み取る場合、Ｂ→Ｇ→Ｒの順で点灯順を逆に切り換える。これによって、図４に示すように、順方向と逆方向との一画素を形成する移動量に着目すると、主走査方向の同じ位置を、常に同じ光源色で読み取る。
【００２６】
したがって、副走査方向における色ずれが生じず、高品位な画像読取を実現することができる。
【実施例２】
【００２７】
図５は、本発明の実施例２である画像読取記録装置ＰＲ１における印字ヘッド一体型オンキャリッジスキャナＳＣ２において、スキャンデータを格納する動作説明図である。
【００２８】
実施例２の構成は、基本的には、図１、図２に示す実施例１の構成と同じである。
【００２９】
読取センサ１は、スキャンしたデータを順次転送する。
【００３０】
実施例１では、順方向スキャンの場合、Ｒ→Ｇ→Ｂ→Ｒ→Ｇ→Ｂ……の順で、画像データが送られ、逆方向スキャンの場合、Ｂ→Ｇ→Ｒ→Ｂ→Ｇ→Ｒ……の順で、画像データが送られる。これらの画像データは、ＲＧＢの３色データで、１つの画素データを構成し、後段で必要な画像処理が行われる。その際に、色データの順序が異なると、処理が煩雑になる。
【００３１】
実施例２は、画像データのバッファメモリに格納する際、順方向スキャン時に順次送られてくる色データを、バッファメモリの上位アドレスから順に格納する実施例である。
【００３２】
そして、逆方向スキャン時に順次送られてくる色データは、最初のＢ１データを、バッファメモリのアドレス２番地に格納し、次のＧ１データを、アドレス１番地に格納し、次のＲ１データを、アドレス０番地に格納する。以下、上記と同様に、Ｂｎデータを、アドレス３ｎ−１番地に格納し、Ｇｎデータを、アドレス３ｎ−２番地に格納し、Ｒｎデータを、アドレス３ｎ−３番地に格納し、これらの格納を繰り返す。
【００３３】
画像データを、バッファメモリに、上記のように格納することによって、順方向スキャンと逆方向スキャンとのどちらにおいても、同じ色データ順に格納することができる。
【実施例３】
【００３４】
図６は、本発明の実施例３において、スキャンデータを格納・読み出しする方法を示す図である。
【００３５】
実施例３の構成は、基本的には、実施例２の構成と同じである。
【００３６】
読取センサ１から順方向スキャンする場合、Ｒ→Ｇ→Ｂ→Ｒ→Ｇ→Ｂ……の順で、画像データが送られ、逆方向スキャンする場合、Ｂ→Ｇ→Ｒ→Ｂ→Ｇ→Ｒ……の順で、画像データが送られる。格納時は、送られてきた色データ順に、順次、バッファメモリに格納する。
【００３７】
そして、読み出す際に、格納されたデータが、順方向スキャンするデータであれば、上位アドレスから順に読み出す。格納されたデータが、逆方向スキャンするデータであれば、最初の画素のＲ１データが格納されているアドレス２番地から読み出し、次に、Ｇ１データが格納されているアドレス１番地から読み出し、次に、Ｂ１データが格納されているアドレス０番地から読み出す。
【００３８】
以下、上記と同様に、Ｒｎデータが格納されているアドレス３ｎ−１番地から読み出し、次に、Ｇｎデータが格納されているアドレス３ｎ−２番地から読み出し、その次に、Ｂｎデータが格納されているアドレス３ｎ−３番地から読み出す。そして、これらの読み出しを、繰り返す。
【００３９】
読取センサ１から順次送られてくる色データを、一旦そのまま格納し、バッファメモリを読み出す際に、上記のように、アドレッシングすることによって、順方向スキャンと逆方向スキャンとのどちらにおいても、同じ色データ順に読み出すことができる。
【００４０】
上記実施例１によれば、主走査方向に移動しながら双方向スキャンするオンキャリッジスキャナにおいて、光源の点灯順序を切り換える手段を設けているので、順方向と逆方向とで読み取った画像の色ずれを抑制し、かつスキャンが高速である。
【００４１】
また、実施例２は、点灯切換手段で読み取られて順次転送されてくる画像データを、バッファメモリに格納する際に、同じ色画素データ順に格納されるように転送する手段を有する。したがって、色データの格納順を、順方向と逆方向とで同じにすることができ、これによって、格納されたデータを用いて動作するコピー動作、スキャナ動作、ＦＡＸ動作等におけるデータハンドリングが容易である。
【００４２】
さらに、実施例３は、点灯切換手段で読み取られ、順次転送されてくる画像データを、バッファメモリに転送順に格納し、このバッファメモリから読み出す際に、同じ色画素データ順になるように転送する手段を有する。したがって、色データの読み出し転送順が、順方向と逆方向とで同じにすることができ、格納されたデータを用いて動作するコピー動作、スキャナ動作、ＦＡＸ動作等におけるデータハンドリングが容易である。
【図面の簡単な説明】
【００４３】
【図１】本発明の実施例１である画像読取記録装置ＰＲ１における印字ヘッド一体型オンキャリッジスキャナＳＣ１の構成を示す平面図、正面図、右側面図である。
【図２】印字ヘッド一体型オンキャリッジスキャナＳＣ１の読取走査と、印字記録との動作概要を示す図である。
【図３】従来の印字ヘッド一体型オンキャリッジスキャナによって、双方向スキャンを行った場合における画像データの配列を示す図である。
【図４】実施例１である印字ヘッド一体型オンキャリッジスキャナＳＣ１が、双方向スキャンした場合における画像データの配列を示す図である。
【図５】本発明の実施例２である画像読取記録装置ＰＲ１における印字ヘッド一体型オンキャリッジスキャナＳＣ２において、スキャンデータを格納する動作を説明する図である。
【図６】本発明の実施例３において、スキャンデータを格納・読み出しする方法を示す図である。
【符号の説明】
【００４４】
ＰＲ１…画像読取記録装置、
ＳＣ１…印字ヘッド一体型オンキャリッジスキャナ、
１…読取センサ、
２…読み取り幅、
３…カラー用印字ヘッド、
４…モノクロ用印字ヘッド、
５…カラーインクタンク、
６…ブラックインクタンク、
７…キャリッジユニット、
８…原稿、
９…記録紙、
１０…キャリッジモータ、
１５…キャリッジ駆動ベルト、
Ｒ１１、Ｒ１２…記録紙給紙ローラ、
Ｒ２１、Ｒ２２…記録紙排紙ローラ、
Ｒ３１、Ｒ３２…原稿排紙ローラ、
Ｒ４１、Ｒ４２…原稿給紙ローラ。
【図１】
2008124883.tif 000003
【図２】
2008124883.tif 000004
【図３】
2008124883.tif 000005
【図４】
2008124883.tif 000006
【図５】
2008124883.tif 000007
【図６】
2008124883.tif 000008